(57)【要約】【課題】ダストボックス内に溜められた塵埃量が誤って判定されるおそれを減らすことができる空気調和機の提供。【解決手段】空気調和機１は、エアフィルタ３５ａ，３５ｂと、エアフィルタ３５ａ，３５ｂから剥離した塵埃を貯溜可能なダストボックス４９と、塵埃処理駆動部４２と少なくとも一部がダストボックス４９内部に配置され塵埃処理駆動部４２によって駆動される塵埃処理被駆動部４１とを有する塵埃処理ユニット４０と、監視部６５と、判定部６４と、を備えている。塵埃処理ユニット４０は、塵埃処理被駆動部４１が駆動されることでエアフィルタ３５ａ，３５ｂに付着した塵埃をダストボックス４９に溜めることが可能である。監視部６５は塵埃処理ユニット４０によるフィルタ清掃運転実行中に塵埃処理ユニット４０の動作量を監視し、判定部６４は監視部６５の監視結果に基づいてダストボックス４９内部に所定量以上の塵埃が溜まっているか否かを判定する。【選択図】図１４
2010107139.tif 000002
【特許請求の範囲】
【請求項１】
フィルタ（３５ａ，３５ｂ）と、
前記フィルタから剥離した塵埃を貯溜可能なダストボックス（４９）と、
駆動部（４２，１４２）と前記ダストボックス内部に少なくとも一部が配置され前記駆動部によって駆動される被駆動部（４１）とを有し、前記被駆動部が駆動されることによって前記フィルタに付着した塵埃を前記ダストボックスに溜めることが可能なフィルタ清掃部（４０）と、
前記フィルタ清掃部によるフィルタ清掃運転実行中に前記フィルタ清掃部の動作量を監視する監視部（６５）と、
前記監視部の監視結果に基づいて、前記ダストボックス内部に所定量以上の塵埃が溜まっているか否かを判定する判定部（６４）と、
を備える空気調和機（１）。
【請求項２】
前記監視部は、前記駆動部、および、前記被駆動部の少なくともいずれか１つの動作量を監視する、
請求項１に記載の空気調和機。
【請求項３】
前記被駆動部は、前記フィルタに付着している塵埃を前記フィルタから剥離させるフィルタ清掃部材（４７，１４７）を含む、
請求項１または２に記載の空気調和機。
【請求項４】
前記被駆動部は、前記フィルタ清掃部材が駆動される際に連動する連動部（４４）を更に含む、
請求項３に記載の空気調和機。
【請求項５】
前記連動部は、前記フィルタ清掃部材によって前記フィルタから剥離された塵埃を前記ダストボックスに搬送するための搬送部材（４８）を含む、
請求項４に記載の空気調和機。
【請求項６】
前記被駆動部は、前記フィルタから剥離した塵埃を搬送するための搬送部材（１４８）を含む、
請求項１から４のいずれかに記載の空気調和機。
【請求項７】
前記判定部は、前記監視部によって監視される動作量が所定動作量以下となった場合に、前記ダストボックス内部に前記所定量以上の塵埃が溜まっていると判定する、
請求項１から６のいずれかに記載の空気調和機。
【請求項８】
前記フィルタ清掃運転を実行させるフィルタ清掃運転制御部（６３）と、
ユーザからの前記ダストボックス内部の塵埃量のリセット指示を受け付ける受付部（８１）と、を更に備え、
前記フィルタ清掃運転制御部は、前記フィルタ清掃運転の実行中に前記判定部によって前記ダストボックス内部に前記所定量以上の塵埃が溜まっていると判定された場合には、前記フィルタ清掃運転の実行終了後前記受付部が前記リセット指示を受け付けるまで前記フィルタ清掃運転の実行を開始させない、
請求項１から７のいずれかに記載の空気調和機。
【請求項９】
前記ダストボックス内部に前記所定量以上の塵埃が溜まっていることを報知するための報知部（１４）を更に備える、
請求項１から８のいずれかに記載の空気調和機。
【発明の詳細な説明】
【技術分野】
【０００１】
本発明は、フィルタ清掃機構を備える空気調和機に関する。
【背景技術】
【０００２】
従来より、フィルタ清掃機構によってフィルタに付着した塵埃を自動的に清掃するフィルタ清掃運転を行う空気調和機がある。このような空気調和機には、フィルタ清掃機構によってフィルタから取り除かれた塵埃がダストボックスに溜められ、ダストボックスに溜められた塵埃がユーザによって定期的に廃棄されるようなものがある。そして、フィルタから取り除かれた塵埃がダストボックスに溜められるような空気調和機には、ダストボックスに溜まっている塵埃量を判断する機能を有するものがある。
【０００３】
例えば、掃除機構（フィルタ清掃機構に相当）によるフィルタの掃除運転（フィルタ清掃運転に相当）の実行回数に基づいて、ダストボックス内部に溜められている塵埃量が判断される空気調和機がある（特許文献１参照）。
【特許文献１】特開２００８−８２５６６号公報
【発明の開示】
【発明が解決しようとする課題】
【０００４】
しかしながら、フィルタに付着している塵埃量が多い場合には、一度のフィルタ清掃運転によってフィルタから取り除かれる塵埃量が多くなる。このため、上述の空気調和機のように、フィルタ清掃運転の実行回数によってダストボックス内の塵埃量が判断される場合には、判断されている塵埃量以上にダストボックス内部に塵埃が溜まっているおそれがある。したがって、ダストボックス内部に溜められた塵埃量が廃棄の必要な量以上に溜まってもユーザによる塵埃の廃棄が行われないために、ダストボックス内から塵埃が溢れて、室内に塵埃が飛散するおそれがある。
【０００５】
そこで、本発明の課題は、ダストボックス内部に溜められた塵埃量が誤って判定されるおそれを減らすことができる空気調和機を提供することにある。
【課題を解決するための手段】
【０００６】
第１発明に係る空気調和機は、フィルタと、ダストボックスと、フィルタ清掃部と、監視部と、判定部とを備えている。ダストボックスは、フィルタから剥離した塵埃を貯溜可能である。フィルタ清掃部は、駆動部と被駆動部とを有する。被駆動部の少なくとも一部は、ダストボックス内部に配置されている。また、被駆動部は、駆動部によって駆動される。さらに、フィルタ清掃部は、被駆動部が駆動されることによって、フィルタに付着した塵埃をダストボックスに溜めることが可能である。監視部は、フィルタ清掃部によるフィルタ清掃運転実行中に、フィルタ清掃部の動作量を監視する。判定部は、監視部の監視結果に基づいて、ダストボックス内部に所定量以上の塵埃が溜まっているか否かを判定する。
【０００７】
第１発明に係る空気調和機では、被駆動部の少なくとも一部は、ダストボックス内部に配置されている。このため、例えば、被駆動部がダストボックス内部に溜められている塵埃に接触することでフィルタ清掃部の駆動量が小さくなる等、フィルタ清掃運転実行時におけるフィルタ清掃部の駆動量とダストボックス内部における塵埃量とに相関性がある場合には、フィルタ清掃運転実行時におけるフィルタ清掃部の駆動量を監視することで、ダストボックス内部に所定量以上の塵埃が溜まっているか否かを判定することができる。
【０００８】
これによって、ダストボックス内部に溜められた塵埃量が誤って判定されるおそれを減らすことができる。
【０００９】
第２発明に係る空気調和機は、第１発明の空気調和機であって、監視部は、駆動部、および、被駆動部の少なくともいずれか１つの動作量を監視する。このため、この空気調和機は、駆動部、および、被駆動部のうちの少なくともいずれか１つの動作量に基づいて、ダストボックス内部に溜まった塵埃量を判定することができる。
【００１０】
第３発明に係る空気調和機は、第１発明または第２発明の空気調和機であって、被駆動部は、フィルタに付着している塵埃をフィルタから剥離させるフィルタ清掃部材を含む。このため、この空気調和機では、フィルタから塵埃を剥離させることができる。
【００１１】
第４発明に係る空気調和機は、第３発明の空気調和機であって、被駆動部は、フィルタ清掃部材が駆動される際に連動する連動部を更に含む。このため、例えば、フィルタ清掃運転の実行中に監視部によって連動部の動作量が監視される場合には、連動部の動作量を監視することによってダストボックス内部に溜まった塵埃量を判定することができる。
【００１２】
第５発明に係る空気調和機は、第４発明の空気調和機であって、連動部は、フィルタ清掃部材によってフィルタから剥離された塵埃をダストボックスに搬送するための搬送部材を含む。このため、フィルタから剥離された塵埃を、フィルタ清掃部材が駆動される際に連動する部材によってダストボックスに搬送することができる。
【００１３】
第６発明に係る空気調和機は、第１発明から第４発明のいずれかの空気調和機であって、被駆動部は、フィルタから剥離した塵埃を搬送するための搬送部材を含む。このため、この空気調和機では、フィルタから剥離した塵埃を搬送することができる。
【００１４】
第７発明に係る空気調和機は、第１発明から第６発明のいずれかの空気調和機であって、判定部は、監視部によって監視される動作量が所定動作量以下となった場合に、ダストボックス内部に所定量以上の塵埃が溜まっていると判定する。このため、この空気調和機では、フィルタ清掃部の動作量に基づいて、ダストボックス内部に溜まっている塵埃量を判定することができる。
【００１５】
第８発明に係る空気調和機は、第１発明から第７発明のいずれかの空気調和機であって、フィルタ清掃運転制御部と、受付部とを更に備える。フィルタ清掃運転制御部は、フィルタ清掃運転を実行させる。受付部は、ユーザからのダストボックス内部の塵埃量のリセット指示を受け付ける。また、フィルタ清掃運転制御部は、フィルタ清掃運転の実行中に判定部によってダストボックス内部に所定量以上の塵埃が溜まっていると判定された場合には、フィルタ清掃運転の実行終了後受付部がリセット指示を受け付けるまで、フィルタ清掃運転の実行を開始させない。このため、この空気調和機では、ダストボックス内部に所定量以上の塵埃が溜まっている状態で、フィルタ清掃運転が更に実行されるおそれを減らすことができる。
【００１６】
これによって、ダストボックス内部から塵埃が溢れるおそれを減らすことができる。
【００１７】
第９発明に係る空気調和機は、第１発明から第８発明のいずれかの空気調和機であって、ダストボックス内部に所定量以上の塵埃が溜まっていることを報知するための報知部を更に備える。このため、例えば、ダストボックス内部に溜まった塵埃の廃棄が必要とされる量が所定量以上である場合には、ダストボックス内部に溜まった塵埃の廃棄が必要であることをユーザに認識させやすくすることができる。
【発明の効果】
【００１８】
第１発明に係る空気調和機では、ダストボックス内部に溜められた塵埃量が誤って判断されるおそれを減らすことができる。
【００１９】
第２発明に係る空気調和機では、ダストボックス内部に溜まった塵埃量を判定することができる。
【００２０】
第３発明に係る空気調和機では、フィルタから塵埃を剥離させることができる。
【００２１】
第４発明に係る空気調和機では、連動部の動作を監視することによってダストボックス内部に溜まった塵埃量を判定することができる。
【００２２】
第５発明に係る空気調和機では、フィルタから剥離された塵埃を、フィルタ清掃部材が駆動される際に連動する部材によってダストボックスに搬送することができる。
【００２３】
第６発明に係る空気調和機では、フィルタから剥離した塵埃を搬送することができる。
【００２４】
第７発明に係る空気調和機では、ダストボックス内部に溜まっている塵埃量を判定することができる。
【００２５】
第８発明に係る空気調和機では、ダストボックス内部から塵埃が溢れるおそれを減らすことができる。
【００２６】
第９発明に係る空気調和機では、ダストボックス内部に溜まった塵埃の廃棄が必要であることをユーザに認識させやすくすることができる。
【発明を実施するための最良の形態】
【００２７】
以下、図面を参照しながら本発明の一実施形態に係る空気調和機１について説明する。なお、以下の実施形態は、本発明の具体例であって、本発明の技術的範囲を限定するものではない。
【００２８】
＜空気調和機の構成概略＞
本発明の一実施形態に係る空気調和機１は、室内の壁面に取り付けられる室内機１０と、室外に設置される室外機２０とを備えており、冷房運転、暖房運転、加湿運転、除湿運転および、フィルタ清掃運転等の各種運転を実行することができる。室内機１０と室外機２０とは、図１に示すように、冷媒配管、加湿ホース、伝送線および通信線などを集合した集合連絡管２によって接続されている。
【００２９】
室外機２０は、室外空調ユニット２１と、室外空調ユニット２１上に配置される調湿ユニット２２とを有している。室外空調ユニット２１は、圧縮機２３と、圧縮機２３の吐出側に接続されている四路切換弁２４と、圧縮機２３の吸入側に接続されるアキュムレータと、四路切換弁２４に接続されている室外熱交換器と、室外熱交換器に接続された室外膨張弁２７とを有している（図１５参照）。室外膨張弁２７は、冷媒配管を介して後述する室内熱交換器１２の一端と接続される。また、四路切換弁２４は、冷媒配管を介して室内熱交換器１２の他端と接続されている。また、室外空調ユニット２１内には、室外ファン２８が設けられている。室外ファン２８は、室外の空気を取り込み、室外熱交換器での熱交換後の空気を室外に排出するプロペラファンである。
【００３０】
調湿ユニット２２は、加湿ホースおよび室内機１０内部に配置される加湿ダクト３（図４参照）を介して、室外空気や調湿空気を室内機１０側に供給したり、室内空気を室外に排気したりすることができる。
【００３１】
＜室内機の構成＞
室内機１０は、図２、図３および図４に示すように、本体ケーシング１１と、室内熱交換器１２と、室内熱交換器１２と、フィルタ清掃機構３０とを備えている。
【００３２】
本体ケーシング１１は、略直方体形状を呈するプラスチック製の部材であって、室内熱交換器１２、室内熱交換器１２、および、フィルタ清掃機構３０を収容している。また、本体ケーシング１１は、前面グリル１１ａと、前面グリル１１ａの前面に配置される前面パネル８とを有している。前面パネル８は、パネル上部８ａ近傍の支点を中心に回動自在に前面グリル１１ａに取り付けられている。
【００３３】
前面グリル１１ａの前面には、後述するエアフィルタ３５ａ，３５ｂ等のメンテナンスをするための２つの開口部１９ａ，１９ｂ（図５参照）が形成されている。また、前面グリル１１ａの下部には吹出口７が形成されており、吹出口７近傍には、運転停止時に閉じ、運転時に開く、２枚の風向調節羽根９が設けられている。この風向調節羽根９によって室内機１０の上下方向の風向きを調節している。なお、図３は、運転停止状態を示しており、吹出口７の開口部が風向調節羽根９で閉じられている状態を示している。また、図４は、フィルタ清掃運転時の状態を示しており、吹出口７の開口部が風向調節羽根９で閉じられている状態を示している。
【００３４】
さらに、前面グリル１１ａの上部には主吸込口６ａおよび副吸込口６ｂが設けられている。主吸込口６ａは、前面グリル１１ａの天面５ａに形成されている。また、副吸込口６ｂは、開口部１９ａ，１９ｂの一部であって、パネル上部８ａ近傍に形成されている。具体的には、副吸込口６ｂは、前面グリル１１ａに前面パネル８が取り付けられても前面パネル８によって塞がれない開口部１９ａ，１９ｂの上部部分のことである。
【００３５】
さらに、前面グリル１１ａの開口部１９ａ，１９ｂの下には、凹部１１ｂが形成されている。この凹部１１ｂには、後述するフィルタ清掃機構３０のダストボックス４９が嵌め込まれる。また、前面グリル１１ａの凹部１１ｂの下側には、図５に示すように、表示パネル１７（図１５参照）が嵌め込まれる開口部５が形成されている。表示パネル１７は、複数並べて配置されたＬＥＤを有し、これらのＬＥＤが点灯することで、所定の文字等を表示することが可能である。また、表示パネル１７の前方は、前面パネル８で覆われることになるが、前面パネル８を透過する光を発することで、外部から表示パネル１７の表示を視認することができる。
【００３６】
また、前面グリル１１ａの開口部５の下側には、吹出口７上辺に沿って窓部７０が形成されている。窓部７０には、表示用ＬＥＤ１４および受光素子１６を有する素子部７０ａ（図１５参照）が嵌め込まれる。素子部７０ａは、表示用ＬＥＤ１４が点灯または消灯することで、ユーザに対して空気調和機１の運転状態等の報知を行うことができる。なお、表示パネル１７の有するＬＥＤと素子部７０ａの有する表示用ＬＥＤ１４および受光素子１６とは、電装品箱１８に接続されている。また、図２では、後述するダストボックス４９内部の塵埃の廃棄が必要な旨を報知するための表示用ＬＥＤ１４近傍に位置する窓部７０を符号７０ｂで示し、受光素子１６近傍に位置する窓部７０を符号７０ｃで示している。
【００３７】
室内熱交換器１２は、複数のフィンと、冷媒が流れる伝熱管とを有しており、通過する空気との間で熱交換を行う。また、室内熱交換器１２は、前面側熱交換器１２ａと背面側熱交換器１２ｂとが側面視において逆Ｖ字状になるように連結して構成されている。また、室内熱交換器１２の上流側には、前面側熱交換器１２ａに隣接して補助熱交換器１２ｃが設けられている。補助熱交換器１２ｃは、室内機１０の側面視において、加湿ダクト３と重ならないように加湿ダクト３よりも上側に配置されている。また、補助熱交換器１２ｃは、凝縮器として機能させるか蒸発器として機能させるかを、室内機１０に設けられている室内膨張弁１５（図１５参照）によって切り換えることができる。このため、この空気調和機１では、補助熱交換器１２ｃを凝縮器として機能させ、室内熱交換器１２を蒸発器として機能させることで、温度の低下を防ぎながら除湿を行う再熱除湿運転を実行することができる。
【００３８】
室内ファン１３は、略円筒形状を呈するクロスフローファンであって、室内熱交換器１２の下流側に配置されている。室内ファン１３は、室内から本体ケーシング１１内に取り込まれ室内熱交換器１２によって熱交換された空気を室内に吹き出される空気流を生成することができる。
【００３９】
また、室内機１０内部には、図３および図４に示すように、側面視において、電装品箱１８とほぼ重なる位置に加湿ダクト３が配置されている。加湿ダクト３には、加湿された外気の流路となる空洞部４ａが形成され、空洞部４ａの上部に、加湿された外気の給気口４ｂが形成されている。また、空洞部４ａは、室内機１０の前面の下方から背面側上方に向かって抜き差し自在なプレフィルタ３ａにより仕切られており、給気口４ｂから本体ケーシング１１の内部に給気される外気は全てプレフィルタ３ａを通過する。
【００４０】
次に、フィルタ清掃機構３０について説明する。
【００４１】
＜フィルタ清掃機構＞
フィルタ清掃機構３０は、図３に示すように、電装品箱１８の上側に配置されており、フィルタユニット３１と、塵埃処理ユニット４０と、ダストボックス４９とを備えている。以下に、フィルタユニット３１および塵埃処理ユニット４０について説明する。
【００４２】
（１）フィルタユニット
フィルタユニット３１は、図３および図４に示すように、本体ケーシング１１の内側に配置されている。また、フィルタユニット３１は、図３、図４、図６および図７に示すように、エアフィルタ３５ａ，３５ｂと、エアフィルタ３５ａ，３５ｂを保持するための保持部３２ａ，３２ｂと、エアフィルタ３５ａ，３５ｂを保持部３２ａ，３２ｂに沿って移動させるためのフィルタ駆動部３３ａ，３３ｂと、を有している。なお、図６は、エアフィルタ３５ａ，３５ｂを取り外した状態が示されている。
【００４３】
エアフィルタ３５ａ，３５ｂは、図３に示すように、本体ケーシング１１の天面５ａの主吸込口６ａ及び副吸込口６ｂの下流側に、主吸込口６ａ及び副吸込口６ｂの全面に対向するように２枚配置されている。なお、本実施形態では、エアフィルタ３５ａ，３５ｂは、図６および図７に示すように、エアフィルタ３５ａが室内機１０の正面視において左半分を分担し、エアフィルタ３５ｂが室内機１０の正面視において右半分を分担するものとする。さらに、エアフィルタ３５ａ，３５ｂの下流側には室内熱交換器１２が配置されている。このようにして、主吸込口６ａ及び副吸込口６ｂを通過して室内熱交換器１２に到達する室内空気は全てエアフィルタ３５ａ，３５ｂを通過して塵埃の除去を受ける。
【００４４】
また、エアフィルタ３５ａ，３５ｂは、図７に示すように、フィルタリングのために室内空気を通過させるフィルタ部３５ａｂとフィルタ部３５ａｂを支持するための支持枠３５ａａとを有している。さらに、支持枠３５ａａの両端部には、後述するフィルタ駆動用ローラ３７ａ，３７ｂの有するピニオンギアと噛み合うラックギアが形成されている。
【００４５】
保持部３２ａ，３２ｂは、２枚のエアフィルタ３５ａ，３５ｂを保持するため、図６に示すように、室内機１０の正面視において左右に２つ設けられている。なお、本実施形態では、保持部３２ａ，３２ｂは、図６に示すように、保持部３２ａが室内機１０の正面視において保持部３２ｂよりも左側に配置されているものとする。また、保持部３２ａ，３２ｂは、フレーム３４を有している。フレーム３４には、アーム３６と、アーム３６の間に配置されるブレード３４ｂおよびビーム３４ｃとが含まれる。
【００４６】
アーム３６は、図８に示すように、上側案内溝３６ａと、下側案内溝３６ｂとを有している。上側案内溝３６ａは、前面パネル８の上部近傍から天面５ａ近傍に沿ってなだらかに湾曲するように形成されている。また、下側案内溝３６ｂは、上側案内溝３６ａの下側に配置されている。また、上側案内溝３６ａと下側案内溝３６ｂとの間隔は、最も広いところで、フィルタ駆動用ローラ３７ａ，３７ｂのピニオンギアの歯先円の外径より少し広くなっている。また、ブレード３４ｂおよびビーム３４ｃは、フレーム３４における通風を良くするために、細い部材を組み合わせることによって構成されている。
【００４７】
フィルタ駆動部３３ａ，３３ｂは、フィルタ駆動用ローラ３７ａ，３７ｂと、それぞれのフィルタ駆動用ローラ３７ａ，３７ｂを駆動するためのフィルタ駆動用モータ３８ａ，３８ｂと、を有している。２本のフィルタ駆動用ローラ３７ａ，３７ｂは、エアフィルタ３５ａ，３５ｂを挟んで後述する塵埃処理ユニット４０のブラシ４７に対向する位置に配置されている。また、フィルタ駆動用モータ３８ａ，３８ｂは、図６および図７に示すように、室内機１０の正面視において、左側に配置されている方がフィルタ駆動用ローラ３７ａであり、もう一方の右側に配置されている方がフィルタ駆動用ローラ３７ｂである。さらに、フィルタ駆動用ローラ３７ａ，３７ｂはその両端部にピニオンギア（図示せず）を有しており、このピニオンギアをエアフィルタ３５ａ，３５ｂの両端部に形成されているラックギアと噛み合わせるとことでエアフィルタ３５ａ，３５ｂの移動を行うことができる。
【００４８】
また、フィルタ駆動用モータ３８ａ，３８ｂは、正面視において、エアフィルタ３５ａ，３５ｂと重なる位置で各アーム３６に取り付けられている。具体的には、フィルタ駆動用モータ３８ａ，３８ｂは、図８に示す上側案内溝３６ａと下側案内溝３６ｂの間に配置されている。言い換えると、フィルタ駆動用ローラ３７ａ，３７ｂで移動方向を転換する前のエアフィルタ３５ａ，３５ｂの位置と、フィルタ駆動用ローラ３７ａ，３７ｂで移動方向を転換した後のエアフィルタ３５ａ，３５ｂの位置との間に、フィルタ駆動用モータ３８ａが配置されていることになる。
【００４９】
また、フィルタ駆動用モータ３８ａ，３８ｂが発生する駆動力は、複数のギアでフィルタ駆動用ローラ３７ａ，３７ｂに伝達される。フィルタ駆動用ローラ３７ａ，３７ｂとフィルタ駆動用モータ３８ａ，３８ｂとを繋ぐギアは、図８に示すギアボックス３９ａ，３９ｂの中に収められている。
【００５０】
なお、フィルタユニット３１において、室内空気の塵埃を除去する場合、または、空気調和機１の運転が実行されていない場合、すなわち、フィルタ清掃運転が行われていない場合には、エアフィルタ３５ａ，３５ｂは、保持部３２ａ，３２ｂによって、上側案内溝３６ａに位置するように保持されている（図３参照）。以下、フィルタ清掃運転が行われていない場合のエアフィルタ３５ａ，３５ｂの位置を、運転停止時の位置とする。また、フィルタ清掃運転が実行されている場合には、エアフィルタ３５ａ，３５ｂは、フィルタ駆動用ローラ３７ａ，３７ｂの外周に巻き込まれるようにＵターンして移動方向が下向きから上向きに変えられ、下側案内溝３６ｂに導かれる。
【００５１】
（２）塵埃処理ユニット
塵埃処理ユニット４０は、塵埃処理被駆動部４１と、塵埃処理駆動部４２とを備えている。塵埃処理被駆動部４１は、ブラシ４７と、連動部４４とを有している。
【００５２】
ブラシ４７は、図９、図１０、図１１および図１２に示すように、プラスチック製の直毛が放射状に伸びるように形成されている。また、ブラシ４７は、塵埃処理ユニット４０とフィルタユニット３１とが組み合わされた状態で、エアフィルタ３５ａ，３５ｂに接するように配置される。
【００５３】
また、ブラシ４７の軸４３は、撓み難い剛性の高い筒状の金属で構成されている。なお、本実施形態では、ブラシ４７の軸４３は、金属によって構成されているが、これに代えて、撓み難い剛性の高いプラスチックによって構成されていてもよい。また、ブラシ４７の軸４３の両端は後述する第１支持部材５１の軸受に回転自在に嵌め込まれている。さらに、ブラシ４７の軸４３には、被駆動ギア４３ａが取り付けられている。この被駆動ギア４３ａは、連動部４４の有する連動ギア４４ａと噛み合う。
【００５４】
連動部４４は、圧縮ローラ４８と、連動ギア４４ａを有している。圧縮ローラ４８は、プラスチック製の円柱状の棒状部材であって、圧縮ローラ４８の表面には螺旋状の突起が形成されている。また、圧縮ローラ４８は、後述する第２支持部材５２の両端部に回転可能に支持されている。なお、圧縮ローラ４８は、塵埃処理ユニット４０とフィルタユニット３１とが組み合わされた状態で、櫛部の歯４９ｂ（図１４参照）の下側に配置される。さらに、圧縮ローラ４８には、第２支持部材５２と第１支持部材５１とが固定された状態で、ブラシ４７の被駆動ギア４３ａと噛み合う位置にギア４８ａが設けられている。このため、圧縮ローラ４８は、ブラシ４７の回転に連動して回転する。
【００５５】
連動ギア４４ａは、塵埃処理ユニット４０に含まれるギアの概念図である図１３Ａに示すように、塵埃処理駆動部４２の有する駆動ギア４２ｂと噛み合う第１ギア４４ｂ、および、ブラシ４７の被駆動ギア４３ａと噛み合う第２ギア４６を含む複数のギア（本実施形態では、第１ギア４４ｂ、第２ギア４６および第３ギア４４ｃの３つのギア）を有しており、塵埃処理駆動部４２の有するブラシ駆動用モータ４２ａが発生する駆動力をブラシ４７の被駆動ギア４３ａに伝達する。なお、本実施形態では、連動ギア４４ａが３つのギアを有しているが、連動ギアの有するギアの数はこれに限定されない。
【００５６】
また、第２ギア４６は、図１３Ｂに示すように、磁気発生部４６ａと、リードスイッチ４６ｂとを有している。磁気発生部４６ａは、連動ギア４４ａの外周近傍の１ヶ所に設けられたマグネット部であって、連動部４４の回転に伴って回転する。また、リードスイッチ４６ｂは、第２支持部材５２に固定されており、磁気発生部４６ａに対応してＯＮ信号またはＯＦＦ信号を出力する。このため、連動ギア４４ａが回転することによって第２ギア４６の磁気発生部４６ａも回転するので、リードスイッチ４６ｂは、磁気発生部４６ａとの距離が所定距離未満となったときにＯＮ信号を出力し、磁気発生部４６ａとの距離が所定距離以上となったときにＯＦＦ信号を出力する。なお、連動ギア４４ａが回転している間は、ＯＮ信号またはＯＦＦ信号が交互に出力され、出力された信号は後述する制御部６０に取り込まれる。
【００５７】
なお、本実施形態では、連動ギア４４ａの第２ギア４６が磁気発生部４６ａおよびリードスイッチ４６ｂを有しているが、これに限定されず、連動ギア４４ａに含まれるいずれのギアが磁気発生部およびリードスイッチを有していてもよい。
【００５８】
塵埃処理駆動部４２は、ブラシ駆動用モータ４２ａと、平歯車である駆動ギア４２ｂとを有する。駆動ギア４２ｂは、上述のように、連動ギア４４ａを介してブラシ駆動用モータ４２ａが発生する駆動力を被駆動ギア４３ａに伝達する。
【００５９】
ブラシ駆動用モータ４２ａは、ブラシ４７を回転させる駆動力を供給するためのモータであって、駆動ギア４２ｂおよび連動ギア４４ａを介してブラシ４７を回転させる。また、被駆動ギア４３ａが駆動されることで、被駆動ギア４３ａを介して圧縮ローラ４８のギア４８ａが駆動する。このため、ブラシ駆動用モータ４２ａが駆動されることによって、ブラシ４７および圧縮ローラ４８が回転することになる。また、ブラシ駆動用モータ４２ａが駆動された場合、ブラシ４７は図１４の矢印Ａ１に示す方向である反時計回りに回転し、圧縮ローラ４８は図１４の矢印Ａ２に示す方向である時計回りに回転する。
【００６０】
さらに、ブラシ駆動用モータ４２ａは、図６に示すように、室内機１０の正面視において、エアフィルタ３５ａと重なる位置に配置されている。さらに、ブラシ駆動用モータ４２ａは、室内機１０の側面視において、フィルタ駆動用モータ３８ａ，３８ｂと重なる位置に配置されている。
【００６１】
（３）ダストボックス
ダストボックス４９は、エアフィルタ３５ａ，３５ｂからブラシ４７によって掻き落とされた塵埃を収容するために設けられている。また、ダストボックス４９は、図９、図１０、図１１および図１２に示すように、底部材４９ａと、ブラシ４７を回転可能に支持する第１支持部材５１と、圧縮ローラ４８を回転可能に支持する第２支持部材５２とを有している。また、図９および図１０に示すように、第１支持部材５１と第２支持部材５２とは対向するように配置されている。このような構成によって、ダストボックス４９は、底部材４９ａ、第１支持部材５１および第２支持部材５２を組み合わせることで、エアフィルタ３５ａ，３５ｂから剥離した塵埃を取り入れるための塵埃取入口５３を有する箱型となる。また、塵埃取入口５３は、図１４に示すように、ブラシ４７の下端部近傍に配置されている。このため、ダストボックス４９の内部空間、すなわち、ダストボックス４９内側に形成される空間は、塵埃取入口５３から取り入れられた塵埃を収容可能な塵埃収容空間４５となる。
【００６２】
底部材４９ａには、ブラシ４７の長さに対応するように、櫛部の歯４９ｂが並んで配置されている。櫛部の歯４９ｂは、ブラシ４７とダストボックス４９とが組み合わされた状態で、ブラシ４７の下から斜め前方向に向けて挿入されるように設けられている。
【００６３】
第１支持部材５１には、ブラシ４７の両端部を回転可能に支持する軸受が設けられている。第２支持部材５２には、圧縮ローラ４８の両端を回転可能に支持する軸受が設けられており、図１４に示すように、第２支持部材５２に圧縮ローラ４８が支持された状態で、圧縮ローラ４８を挟むように、第１ガイド部５２ａと第２ガイド部５２ｂとが設けられている。このため、圧縮ローラ４８は、その下部がダストボックス４９の内部に配置されている。第１ガイド部５２ａは、圧縮ローラ４８に対して塵埃の搬送方向上流側に設けられている。また、第１ガイド部５２ａは、ブラシ４７の回転方向に沿った形状を有している。さらに、第２ガイド部５２ｂは、圧縮ローラ４８に対して塵埃搬送方向下流側に設けられている。また、塵埃取入口５３は、具体的には、第１ガイド部５２ａと第２ガイド部５２ｂとの間に形成されている。また、図１４に示すように、圧縮ローラ４８は、塵埃取入口５３の内側に配置される。このため、圧縮ローラ４８と第２ガイド部５２ｂとの間の隙間は、ブラシ４７と圧縮ローラ４８との間で圧縮された塵埃を塵埃収容空間４５に導くための通路になっている。また、第２ガイド部５２ｂの圧縮ローラ４８に対向する面は、圧縮ローラ４８の回転方向に沿う曲面状に形成されている。このため、塵埃は、圧縮ローラ４８と第２ガイド部５２ｂとの間でも圧縮される。
【００６４】
また、ダストボックス４９は、上述のように電装品箱１８の上側に設けられている凹部１１ｂに取り付けられている。
【００６５】
このような構成によって、フィルタ清掃機構３０では、フィルタ清掃運転が実行されることで、ブラシ４７によってエアフィルタ３５ａ，３５ｂに付着した塵埃が掻き取られ、ブラシ４７に付着した塵埃が、第１ガイド部５２ａとブラシ４７とが近接する部分においてブラシ４７と第１ガイド部５２ａとの間で圧縮される。そして、第１ガイド部５２ａとブラシ４７とが近接する部分で圧縮された塵埃は、前記部分よりも搬送方向下流側においてブラシ４７と圧縮ローラ４８の間で更に圧縮される。さらに、前記部分よりも搬送方向下流側を通過した塵埃は、搬送方向の更に下流側に位置する隙間において、圧縮ローラ４８と第２ガイド部５２ｂとの間で圧縮されながら、圧縮ローラ４８によってダストボックス４９内部に向けて搬送される。そして、圧縮された塵埃は、ダストボックス４９の内部空間である塵埃収容空間４５に溜められる。さらに、ダストボックス４９の塵埃収容空間４５に収容された塵埃は、圧縮ローラ４８が回転することで、塵埃収容空間４５の内壁面（特に、第２支持部材５２の逆止壁５４）に押しつけられる。これにより、塵埃収容空間４５に収容された塵埃が圧縮される。
【００６６】
また、ダストボックス４９の塵埃収容空間４５において圧縮された塵埃が所定量以上溜まると、塵埃収容空間４５において圧縮された塵埃と圧縮ローラ４８とが接触することで、圧縮ローラ４８の回転速度が遅くなる。このため、ダストボックス４９の塵埃収容空間４５において圧縮された塵埃が所定量以上溜まった場合には、ユーザによってダストボックス４９の塵埃が廃棄される必要がある。そこで、この空気調和機１は、ダストボックス４９内部の塵埃が所定量以上溜まった場合に、ダストボックス４９の塵埃が廃棄されるように報知する機能を有している。
【００６７】
次に、空気調和機１の備える制御部６０について説明する。
【００６８】
＜制御部＞
制御部６０は、図１５に示すように、室内機１０や、室外空調ユニット２１および調湿ユニット２２を有する室外機２０の各種機器と接続されており、接続された各種機器の制御を行う。また、制御部６０は、通信制御部６１を備えている。通信制御部６１は、受光素子１６が受信したリモートコントローラ８０から送信される運転開始や運転停止等の制御信号を取得する。また、リモートコントローラ８０は、ユーザが空気調和機１を遠隔操作するための装置であって、ユーザからの指示を受け付けて赤外線等の無線手段により制御指令を受光素子１６に送信する。
【００６９】
また、制御部６０は、冷房運転、暖房運転、加湿運転および除湿運転等の通常運転を実行する通常運転制御部６２と、エアフィルタ３５ａ，３５ｂの自動清掃が実行されるようにフィルタ清掃機構３０の動作を制御するフィルタ清掃運転制御部６３とを備えている。なお、本実施形態では、制御部６０は、通常運転が実行された積算時間が所定時間以上となった場合にフィルタ清掃運転が必要であると判断し、フィルタ清掃運転が実行されると前記積算時間をリセットする。
【００７０】
通常運転制御部６２は、各種機器を制御することで、空気調和機１において冷房運転、暖房運転、除湿運転、および、加湿運転を含む通常運転が行われるように、前記運転を実行させる。例えば、ユーザからリモートコントローラ８０を介して冷房運転開始の制御指令を受光素子１６が受信した場合、通信制御部６１は受光素子１６が受信した制御指令を制御信号として取得する。そして、通信制御部６１が取得した制御信号に基づいて、通常運転制御部６２は、圧縮機２３等の各種機器の動作制御を行うことによって、冷房運転に応じた運転制御を行う。これによって、空気調和機１において冷房運転が実行される。
【００７１】
また、フィルタ清掃運転制御部６３は、制御部６０によってフィルタ清掃運転が必要であると判断された場合に、各種機器を制御することで、通常運転の終了後、空気調和機１においてフィルタ清掃運転を実行させる。
【００７２】
具体的には、フィルタ清掃運転制御部６３は、フィルタ駆動用モータ３８ａ，３８ｂおよびブラシ駆動用モータ４２ａの駆動を開始することで、フィルタ清掃運転の実行を開始する。このため、フィルタ清掃運転の実行が開始されることで、運転停止時の位置にあったエアフィルタ３５ａ，３５ｂの移動が開始するとともにブラシ４７および圧縮ローラ４８の回転が開始する。したがって、エアフィルタ３５ａ，３５ｂに回転しているブラシ４７が接触することで、エアフィルタ３５ａ，３５ｂに付着している塵埃が取り除かれる。また、ブラシ４７によって取り除かれた塵埃は、圧縮ローラ４８等によって圧縮され、圧縮ローラ４８によってダストボックス４９に搬送される。
【００７３】
また、フィルタ清掃運転制御部６３は、フィルタ駆動用モータ３８ａ，３８ｂおよびブラシ駆動用モータ４２ａの駆動を停止することで、フィルタ清掃運転の実行を終了する。なお、フィルタ清掃運転制御部６３は、エアフィルタ３５ａ，３５ｂがフィルタ清掃運転実行開始時の位置まで移動したときに、フィルタ清掃運転の実行を終了する。このため、フィルタ清掃運転の実行が終了されることで、ブラシ４７によって塵埃が取り除かれたエアフィルタ３５ａ，３５ｂが運転停止時の位置に配置されることになる。
【００７４】
さらに、フィルタ清掃運転制御部６３は、監視部６５と判定部６４とを有している。
【００７５】
監視部６５は、フィルタ清掃運転の実行時における塵埃処理ユニット４０の動作量を監視する。なお、ここでいう動作量とは、ブラシ駆動用モータ４２ａが駆動することによって回転する第２ギア４６の回転速度のことであり、監視部６５は、リードスイッチ４６ｂから交互に出力されるＯＮ信号およびＯＦＦ信号に基づいて、第２ギア４６が所定速度で回転しているか否かを監視する。
【００７６】
具体的には、監視部６５は、まず、リードスイッチ４６ｂから出力される信号がＯＮ信号かＯＦＦ信号かを監視する。そして、監視部６５は、所定の第１時間内にリードスイッチ４６ｂから出力される信号がＯＮ信号の場合には、リードスイッチ４６ｂの状態がＯＮ状態であると判断する。また、監視部６５は、所定の第１時間内にリードスイッチ４６ｂから出力される信号がＯＦＦ信号である場合には、リードスイッチ４６ｂの状態がＯＦＦ状態であると判断する。さらに、監視部６５は、所定の第１時間内にリードスイッチ４６ｂから出力される信号がＯＮ信号からＯＦＦ信号に切り換わった場合には、リードスイッチ４６ｂの状態はＯＮ状態であると判断する。また、監視部６５は、所定の第１時間内にリードスイッチ４６ｂから出力される信号がＯＦＦ信号からＯＮ信号に切り換わった場合には、リードスイッチ４６ｂの状態がＯＦＦ状態であると判断する。
【００７７】
また、監視部６５は、リードスイッチ４６ｂの状態がＯＮ状態であると判断した場合には、ＯＮ状態であると判断したときからリードスイッチ４６ｂからＯＦＦ信号が出力されるまでの時間であるＯＮ状態時間を計測する。そして、監視部６５は、ＯＮ状態時間が所定の第２時間未満であるか否かを更に判断する。また、監視部６５は、リードスイッチ４６ｂの状態がＯＦＦ状態であると判断した場合には、ＯＦＦ状態であると判断したときからリードスイッチ４６ｂからＯＮ信号が出力されるまでの時間であるＯＦＦ状態時間を計測する。そして、監視部６５は、ＯＦＦ状態時間が所定の第３時間未満であるか否かを更に判断する。
【００７８】
そして、監視部６５は、ＯＮ状態時間が所定の第２時間未満である場合、および、ＯＦＦ状態時間が所定の第３時間未満である場合には、第２ギア４６が所定速度で回転していると判断する。また、ＯＮ状態時間が所定の第２時間未満でない場合、および、ＯＦＦ状態時間が所定の第３時間未満でない場合には、第２ギア４６が所定速度未満の速度で回転していると判断する。
【００７９】
さらに、監視部６５は、フィルタ清掃運転が実行時において、塵埃処理ユニット４０が駆動しているか否かを判断する。具体的には、監視部６５は、第２ギア４６が回転しているか否かを判断する。監視部６５は、所定の第４時間内に、第２ギア４６のリードスイッチ４６ｂから出力される信号がＯＮ信号からＯＦＦ信号、または、ＯＦＦ信号からＯＮ信号に切り換わったか否かを判断する。そして、監視部６５は、所定の第４時間内に信号が切り換わったと判断した場合には、第２ギア４６が回転していると判断し、塵埃処理ユニット４０が駆動していると判断する。また、監視部６５は、所定の第４時間内に信号が切り換わっていないと判断した場合には、第２ギア４６が回転していないと判断し、塵埃処理ユニット４０が駆動していないと判断する。
【００８０】
判定部６４は、監視部６５による監視結果に基づいて、ダストボックス４９内部の塵埃量が所定量以上であるか否かを判定する。具体的には、判定部６４は、監視部６５によって第２ギア４６が所定速度で回転していると判断された場合、ダストボックス４９内部の塵埃量が所定量未満であると判定する。また、監視部６５によって第２ギア４６が所定速度未満の速度で回転していると判断された場合、ダストボックス４９内部の塵埃量が所定量以上であると判定する。なお、判定部６４においてダストボックス４９内部の塵埃量が所定量以上であると判定された場合、塵埃が所定量以上溜まっているというデータが記憶部６７に記憶される。なお、判定部６４によってダストボックス４９内部の塵埃量が所定量未満であると判定された場合、監視部６５は、第２ギア４６が所定速度で回転しているか否かを更に監視する。
【００８１】
さらに、フィルタ清掃運転制御部６３は、判定部６４によってダストボックス４９内部に溜められている塵埃量が所定量以上であると判定された場合、または、監視部６５によって塵埃処理ユニット４０が駆動していないと判断された場合には、現在実行しているフィルタ清掃運転の終了後、再び、フィルタ清掃運転が行われないように、フィルタ清掃機構３０の各種機器を制御する実行不能制御を行う。
【００８２】
また、フィルタ清掃運転制御部６３は、実行不能制御を行った場合に、ユーザによってリモートコントローラ８０に設けられているリセットボタン８１が押された場合にのみフィルタ清掃運転が行われるように、フィルタ清掃機構３０の各種機器を制御する実行可能制御を行う。なお、ここでいうリセットボタン８１とは、記憶部６７に記憶されている塵埃が所定量以上溜まっているというデータをリセットするためのボタンである。このため、リセットボタン８１は、例えば、ダストボックス４９内部の塵埃がユーザによって廃棄された場合に、ユーザによって押されるものである。したがって、ユーザによってリセットボタン８１が押されることで記憶部６７に記憶されている塵埃が所定量以上溜まっているというデータがリセットされるため、フィルタ清掃運転制御部６３は、ダストボックス４９内部に溜まっている塵埃量が所定量未満であると推測し、実行可能制御を行う。
【００８３】
また、制御部６０は、表示制御部６６を備えている。表示制御部６６は、判定部６４によってダストボックス４９内部に溜められている塵埃量が所定量以上であると判定された場合には、素子部７０ａにおいてダストボックス４９内部の塵埃の廃棄が必要である旨が報知されるように、表示用ＬＥＤ１４を制御する。具体的には、表示制御部６６は、判定部６４によってダストボックス４９内部に溜められている塵埃量が所定量以上であると判定された場合には、窓部７０ｂ近傍に位置する表示用ＬＥＤ１４を点灯させる。
【００８４】
また、何らかの要因で、フィルタ駆動用モータ３８ａ，３８ｂの駆動しない場合、表示制御部６６は、素子部７０ａにおいてフィルタ駆動用モータ３８ａ，３８ｂの駆動が異常である旨が報知されるように、表示用ＬＥＤ１４を制御する。
【００８５】
さらに、監視部６５によって塵埃処理ユニット４０が駆動していないと判断された場合、表示制御部６６は、素子部７０ａにおいてブラシ駆動用モータ４２ａの駆動が異常である旨が報知されるように、表示用ＬＥＤ１４を制御する。
【００８６】
なお、本実施形態では、ダストボックス４９内部の塵埃の廃棄が必要である旨の報知、フィルタ駆動用モータ３８ａ，３８ｂの駆動が異常である旨の報知、および、ブラシ駆動用モータ４２ａの駆動が異常である旨の報知が素子部７０ａにおいて行われているが、これに限定されず、表示パネル１７において行われてもよい。
【００８７】
次に、フィルタ清掃運転制御部６３によるフィルタ清掃運転時の制御動作について説明する。
【００８８】
＜フィルタ清掃運転制御部の制御動作＞
以下に、フィルタ清掃運転制御部６３の制御動作について図１６を用いて説明する。なお、以下には、フィルタ清掃運転制御部６３によって、フィルタ清掃運転の実行が開始される場合を例として説明する。
【００８９】
フィルタ清掃運転制御部６３は、空気調和機１においてフィルタ清掃運転の実行が開始されるように、フィルタ駆動用モータ３８ａ，３８ｂおよびブラシ駆動用モータ４２ａを駆動する（ステップＳ１）。このとき、監視部６５によって、第２ギア４６が回転しているか否かが判断され、塵埃処理ユニット４０が駆動しているか否かが判断される（ステップＳ２）。
【００９０】
監視部６５によって塵埃処理ユニット４０が駆動していると判断された場合、監視部６５によって、第２ギア４６が所定速度で回転しているか否かが判断される（ステップＳ３）。このとき、監視部６５によって第２ギア４６が所定速度で回転していると判断された場合、判定部６４は、ダストボックス４９内部の塵埃量が所定量以上ではないと判定する（ステップＳ４）。そして、フィルタ清掃運転制御部６３は、フィルタ清掃運転の実行が開始されてから所定の第５時間が経過するまで監視部６５による動作量の監視を繰り返す（ステップＳ５）。そして、フィルタ清掃運転制御部６３は、フィルタ清掃運転の実行が開始されてから所定の第５時間が経過すると、フィルタ清掃運転の実行が終了するように、フィルタ駆動用モータ３８ａ，３８ｂおよびブラシ駆動用モータ４２ａを制御する（ステップＳ６）。
【００９１】
また、ステップＳ３において、監視部６５によって第２ギア４６が所定速度未満の速度で回転していると判断された場合、判定部６４は、ダストボックス４９内部の塵埃量が所定量以上であると判定する（ステップＳ４）。そして、判定部６４によってダストボックス４９内部の塵埃量が所定量以上であると判断された場合にも、フィルタ清掃運転制御部６３は、フィルタ清掃運転の実行が開始されてから所定の第５時間が経過するまで、フィルタ清掃運転を実行させ続ける（ステップＳ７）。そして、フィルタ清掃運転制御部６３は、フィルタ清掃運転の実行が開始されてから所定の第５時間が経過すると、フィルタ清掃運転の実行が終了するように、フィルタ駆動用モータ３８ａ，３８ｂおよびブラシ４７駆動モータを制御する（ステップＳ８）。
【００９２】
また、フィルタ清掃運転制御部６３は、判定部６４によってダストボックス４９内部の塵埃量が所定量以上であると判定された場合には、一旦終了したフィルタ清掃運転の実行が再び開始できないように実施不能制御を行う（ステップＳ９）。さらに、表示制御部６６は、ダストボックス４９内部の塵埃の廃棄が必要である旨が報知されるように、表示用ＬＥＤ１４を制御する（ステップＳ１０）。
【００９３】
また、ステップＳ２において、監視部６５によって塵埃処理ユニット４０が駆動していないと判断された場合にも、フィルタ清掃運転制御部６３は、フィルタ清掃運転の実行が開始されてから所定の第５時間が経過するまで、フィルタ清掃運転を実行させ続ける（ステップＳ７）。そして、フィルタ清掃運転制御部６３は、フィルタ清掃運転の実行が開始されてから所定の第５時間が経過すると、フィルタ清掃運転の実行が終了するように、フィルタ駆動用モータ３８ａ，３８ｂおよびブラシ４７駆動モータを制御する（ステップＳ８）。そして、フィルタ清掃運転制御部６３は、監視部６５によって塵埃処理ユニット４０が駆動していないと判断された場合にも、一旦終了したフィルタ清掃運転の実行が再び開始できないように実施不能制御を行う（ステップＳ９）。さらに、表示制御部６６は、塵埃処理ユニット４０の駆動が異常である旨が報知されるように、表示用ＬＥＤ１４を制御する（ステップＳ１０）。
【００９４】
なお、上述の所定の第５時間とは、運転停止時の位置にあったエアフィルタ３５ａ，３５ｂの移動が開始してから、移動したエアフィルタ３５ａ，３５ｂが再び運転停止時の位置に戻るまでにかかる時間であって、フィルタ清掃運転の実行時間に相当する。
【００９５】
＜特徴＞
（１）
上記実施形態では、監視部６５によって、フィルタ清掃運転が実行時に、リードスイッチ４６ｂから交互に出力されるＯＮ信号およびＯＦＦ信号に基づいて、第２ギア４６が所定速度で回転しているか否かが監視される。そして、判定部６４は、監視部６５による監視結果に基づいて、ダストボックス４９内部の塵埃量が所定量以上であるか否かを判定する。
【００９６】
塵埃収容空間４５に収容された後に圧縮された塵埃が所定量以上溜まっている場合には、圧縮ローラ４８とダストボックス４９内部において圧縮された塵埃とが接触することで、圧縮ローラ４８の回転速度が低下する。圧縮ローラ４８の回転速度が低下することによって、ブラシ４７および連動ギア４４ａの回転速度が低下する。このため、連動ギア４４ａの第２ギア４６の有するリードスイッチ４６ｂから出力される信号が切り換わる間隔が長くなることで、ＯＮ状態時間またはＯＦＦ状態時間が長くなる。したがって、第２ギア４６の回転速度が所定速度未満である場合には、ダストボックス４９内部に所定量以上の塵埃が溜まっていると判定することができる。
【００９７】
これによって、フィルタ清掃運転の実行回数に基づいてダストボックス内の塵埃量が所定量以上であるか否かが判定される場合と比較して、ダストボックス４９の塵埃収容空間４５に溜められた塵埃量が誤って判定されるおそれを減らすことができている。
【００９８】
（２）
上記実施形態では、塵埃処理被駆動部４１がブラシ４７を有している。ブラシ４７は、塵埃処理ユニット４０とフィルタユニット３１とが組み合わされた状態で、エアフィルタ３５ａ，３５ｂに接するように配置されている。このため、フィルタ清掃運転が実行されている場合には、エアフィルタ３５ａ，３５ｂに付着している塵埃をエアフィルタ３５ａ，３５ｂから剥離させることができている。
【００９９】
（３）
上記実施形態では、連動部４４は、ブラシ４７によってエアフィルタ３５ａ，３５ｂから剥離された塵埃をダストボックス４９に搬送することができる圧縮ローラ４８を有している。このため、エアフィルタ３５ａ，３５ｂから剥離された塵埃をダストボックス４９に搬送することができる。
【０１００】
また、圧縮ローラ４８は、エアフィルタ３５ａ，３５ｂから剥離された塵埃を、ダストボックス４９に搬送している間、および、ダストボックス４９に収容した後に、圧縮することができる。このため、ユーザによってダストボックス４９から塵埃が廃棄される回数を減らすことができる。
【０１０１】
（４）
上記実施形態では、フィルタ清掃運転制御部６３は、判定部６４によってダストボックス４９内部に溜められている塵埃量が所定量以上であると判定された場合には、現在実行しているフィルタ清掃運転の終了後、再び、フィルタ清掃運転が行われないように、フィルタ清掃機構３０の各種機器を制御する実行不能制御を行う。また、フィルタ清掃運転制御部６３は、実行不能制御を行った場合に、ユーザによってリモートコントローラ８０に設けられているリセットボタン８１が押された場合にのみ再びフィルタ清掃運転が行われるように、フィルタ清掃機構３０の各種機器を制御する実行可能制御を行う。このため、ダストボックス４９内部に所定量以上の塵埃が溜まっている状態で、フィルタ清掃運転が更に実行されるおそれを減らすことができる。
【０１０２】
これによって、ダストボックス４９内部から塵埃が溢れるおそれを減らすことができている。
【０１０３】
（５）
上記実施形態では、表示制御部６６は、判定部６４によってダストボックス４９内部に溜められている塵埃量が所定量以上であると判定された場合には、ダストボックス４９内部の塵埃の廃棄が必要である旨が報知されるように表示用ＬＥＤ１４を制御する。このため、ダストボックス４９内部に溜まった塵埃の廃棄が必要であることをユーザに認識させやすくすることができている。
【０１０４】
これによって、ダストボックス４９内部から塵埃が溢れるおそれを減らすことができている。
【０１０５】
（６）
上記実施形態では、監視部６５は、第２ギア４６が回転しているか否かを判断する。このため、フィルタ清掃運転が実行されているときにブラシ４７が回転しているか否かを間接的に判断することができる。
【０１０６】
これによって、塵埃処理ユニット４０が正常に駆動しているか否かを判断することができる。
【０１０７】
＜変形例＞
（Ａ）
上記実施形態では、第２ギア４６が磁気発生部４６ａおよびリードスイッチ４６ｂを有している。
【０１０８】
これに代えて、フィルタ清掃運転実行時に駆動する塵埃処理ユニットの他の構成部材である圧縮ローラ、または、ブラシが磁気発生部およびリードスイッチを有していてもよい。このようにフィルタ清掃運転実行時に駆動する塵埃処理ユニットの部材のうちの少なくとも１つに磁気発生部およびリードスイッチを設けることで、塵埃処理ユニットの駆動量、すなわち、回転速度を監視することができる。したがって、塵埃処理ユニットの動作量に基づいて、ダストボックス内部に所定量以上の塵埃が溜まっているか否かを判定することができる。
【０１０９】
また、監視部によって、ブラシ駆動用モータの電流値が監視されることで、駆動トルクが推定されてもよい。この場合、判定部は、監視部によって推定される駆動トルクに基づいて、ダストボックス内部に所定量以上の塵埃が溜まっているか否かを判定することができる。
【０１１０】
このように、塵埃処理ユニットの構成部品のうちフィルタ清掃運転時に駆動する少なくとも１つの構成部品の動作量を監視することで、ダストボックス内部に溜められている塵埃量が所定量以上であるか否かを判定することができる。
【０１１１】
また、塵埃処理ユニット以外の構成部品であっても、ダストボックス内の塵埃と直接接触する部材、または、ダストボックス内の塵埃に直接しなくてもダストボックス内の塵埃と直接接触する部材の動作に関連して動作する部材の動作量を監視することで、ダストボックス内の塵埃量が所定量以上であるか否かの判定が可能である。
【０１１２】
（Ｂ）
上記実施形態では、塵埃処理被駆動部４１は、ブラシ駆動用モータ４２ａが駆動することによって駆動されている。すなわち、塵埃処理被駆動部４１は、１つの駆動源によって駆動されている。
【０１１３】
これに代えて、塵埃処理被駆動部が２つ以上の駆動源によって駆動されていてもよい。
【０１１４】
例えば、図１７に示すように、塵埃処理駆動部１４２がブラシ１４７を回転させるためのブラシ駆動用モータ１４２ａと、圧縮ローラ１４８を回転させるための圧縮ローラ駆動用モータ１４２ｂとを備えている場合には、圧縮ローラ１４８または圧縮ローラ駆動用モータ１４２ｂを含む圧縮ローラ１４８の駆動に関連して駆動する部材の少なくともいずれか１つの部材の動作量が監視されることで、ダストボックス内部に溜まっている塵埃量が所定量以上であるか否かを判定することができる。
【０１１５】
なお、図１７において、ブラシ駆動用モータ１４２ａ、圧縮ローラ駆動用モータ１４２ｂ、および、塵埃処理駆動部１４２、ブラシ１４７、圧縮ローラ１４８以外については、図１５と同様の符号を付している。
【０１１６】
（Ｃ）
上記実施形態では、制御部６０によってフィルタ清掃運転が必要であると判断された場合には、通常運転の終了後に、フィルタ清掃運転が自動的に実行されている。これに代えて、制御部によってフィルタ清掃運転が必要であると判断された場合に、通常運転の終了後に、フィルタ清掃運転が自動的に実行されるか否かをユーザが設定できるようにしてもよい。この場合、通常運転の終了後に、フィルタ清掃運転が自動的に実行されないように設定されている場合には、例えば、フィルタ清掃運転が必要な旨が報知されることで、ユーザによってフィルタ清掃運転の実行が手動で開始されてもよい。
【０１１７】
（Ｄ）
上記実施形態では、判定部６４によってダストボックス４９内部に溜められている塵埃量が所定量以上であると判定された場合には、表示制御部６６によってダストボックス４９内部の塵埃の廃棄が必要である旨が報知されるように、表示用ＬＥＤ１４が制御されている。これに代えて、ダストボックス内の塵埃の廃棄が必要である旨の報知がスピーカから発せされる音声によって行われてもよい。例えば、判定部によってダストボックス内部に溜められている塵埃量が所定量以上であると判定された場合には、制御部は「ダストボックス内の塵埃を廃棄してください」というアナウンスが為されるようにスピーカを制御する。このため、ユーザは、ダストボックス内の塵埃を廃棄する必要性があることを聴覚的に認識することができる。なお、ダストボックス内の塵埃の廃棄を促すための報知は、表示用ＬＥＤとスピーカとの両方で行われてもよい。
【０１１８】
（Ｅ）
上記実施形態では、監視部６５が、フィルタ清掃運転が実行時における塵埃処理ユニット４０の動作量として、第２ギア４６の回転速度を監視している。
【０１１９】
これに代えて、監視部が、フィルタ清掃運転の実行中における塵埃処理ユニットの動作量として、ブラシ、圧縮ローラ、および、連動ギアを含む塵埃処理被駆動部の回転数が監視されてもよい。監視部による塵埃処理被駆動部の回転数の検出方法としては、光センサによる方法、リミットスイッチのＯＮ信号およびＯＦＦ信号をカウントする方法等がある。このように、塵埃処理被駆動部の回転数を監視することで、ダストボックス内部に溜まっている塵埃量が所定量以上であるか否かを判定することができる。
【０１２０】
（Ｆ）
上記実施形態では、監視部６５は、第２ギア４６が所定速度で回転しているか否かを監視している。これに代えて、監視部が第２ギアの回転速度を多段階に検出できるようにしてもよい。第２ギアの回転速度を多段階に検出する方法としては、所定の第２時間および所定の第３時間を多段階に設けるという方法がある。このように、第２ギアの回転速度を多段階に検出することで、ブラシの回転周期を計測することができる。
【０１２１】
＜参考例＞
上記実施形態では、第２ギア４６の回転速度に基づいて、ダストボックス４９内部に溜まっている塵埃量が所定量以上であるか否かが判定されている。
【０１２２】
これに代えて、ダストボックスの重量を測定することでダストボックス内部に溜まっている塵埃量が判定されてもよく、ダストボックス内部に溜められている塵埃の体積をリミットスイッチ等で測定することによってダストボックス内部に溜まっている塵埃量が判定されてもよい。
【産業上の利用可能性】
【０１２３】
本発明は、フィルタ清掃機構の有するダストボックス内部に溜められた塵埃量が誤って判断されるおそれを減らすことができるため、フィルタ清掃機構を備える空気調和機への適用が有効である。
【図面の簡単な説明】
【０１２４】
【図１】本発明の実施形態に係る空気調和機の外観斜視図。
【図２】室内機の正面図。
【図３】室内機の断面図（図２のIII-III断面に相当）。
【図４】室内機の断面図（図２のIV-IV断面に相当）。
【図５】室内機の正面図（前面パネルは省略）。
【図６】フィルタ清掃機構の正面図。
【図７】エアフィルタとフィルタ駆動部との関係を示す図。
【図８】フィルタユニットの側面図。
【図９】塵埃処理ユニットの上面図。
【図１０】塵埃処理ユニットおよびダストボックスの分解斜視図。
【図１１】塵埃処理ユニットおよびダストボックスの分解斜視図。
【図１２】塵埃処理ユニットおよびダストボックスの分解斜視図。
【図１３Ａ】塵埃処理ユニットの有するギアの配置を示す概念図。
【図１３Ｂ】（ａ）リミットスイッチの状態がＯＦＦ状態である一例を示す第２ギアの概念図、および、（ｂ）リミットスイッチの状態がＯＮ状態である一例を示す第２ギアの概念図。
【図１４】塵埃処理ユニットの断面図。
【図１５】制御部の制御ブロック図。
【図１６】フィルタ清掃運転におけるフィルタ清掃運転制御部の動作制御を示すフローチャート。
【図１７】変形例（Ｂ）に係る制御部の制御ブロック図。
【符号の説明】
【０１２５】
１      空気調和機
１４      表示用ＬＥＤ（報知部）
４０      塵埃処理ユニット（フィルタ清掃部）
４１      塵埃処理被駆動部（被駆動部）
４４      連動部
４９      ダストボックス
６３      フィルタ清掃運転制御部
６４      判定部
６５      監視部
８１      リセットボタン（受付部）
４２，１４２  塵埃処理駆動部（駆動部）
４７，１４７  ブラシ（フィルタ清掃部材）
４８，１４８  圧縮ローラ（搬送部材）
３５ａ，３５ｂ  エアフィルタ（フィルタ）
【図１】
2010107139.tif 000003
【図２】
2010107139.tif 000004
【図３】
2010107139.tif 000005
【図４】
2010107139.tif 000006
【図５】
2010107139.tif 000007
【図６】
2010107139.tif 000008
【図７】
2010107139.tif 000009
【図８】
2010107139.tif 000010
【図９】
2010107139.tif 000011
【図１０】
2010107139.tif 000012
【図１１】
2010107139.tif 000013
【図１２】
2010107139.tif 000014
【図１３Ａ】
2010107139.tif 000015
【図１３Ｂ】
2010107139.tif 000016
【図１４】
2010107139.tif 000017
【図１５】
2010107139.tif 000018
【図１６】
2010107139.tif 000019
【図１７】
2010107139.tif 000020